(57)【要約】【課題】簡単な機構で、且つ、回遊中の遊動体の細かい動きを表現できる遊動玩具を提供すること。【解決手段】回転体と前記回転体を回転動作させる駆動装置とを有する台座と、遊動体と、を備え、磁気吸引力によって前記台座上方で前記遊動体を遊動させる遊動玩具において、前記回転体には、当該回転体上で揺動可能な揺動体が設けられ、前記台座には、前記回転体の回転に伴って前記揺動体を揺動させる波形のカムが設けられ、前記揺動体及び前記遊動体の一方には磁石が設けられ、他方には、前記磁石との間で前記磁気吸引力を発生させる磁性体又は他の磁石が設けられている。【選択図】図５
2019146742.tif 000002
【特許請求の範囲】
【請求項１】
回転体と前記回転体を回転動作させる駆動装置とを有する台座と、遊動体と、を備え、磁気吸引力によって前記台座上方で前記遊動体を遊動させる遊動玩具において、
前記回転体には、当該回転体上で揺動可能な揺動体が設けられ、
前記台座には、前記回転体の回転に伴って前記揺動体を揺動させる波形のカムが設けられ、
前記揺動体及び前記遊動体の一方には磁石が設けられ、他方には、前記磁石との間で前記磁気吸引力を発生させる磁性体又は他の磁石が設けられていることを特徴とする遊動玩具。
【請求項２】
前記カムは、前記台座の天井に設けられた溝又はスリットから構成され、前記揺動体には前記カムに係合する突子が形成されていることを特徴とする請求項１に記載の遊動玩具。
【請求項３】
前記揺動体は、前記回転体に立設された所定の軸を中心に揺動することを特徴とする請求項２に記載の遊動玩具。
【請求項４】
前記揺動体には第１磁石が設けられ、前記遊動体には、前記第１磁石との間で前記磁気吸引力を発生させる第２磁石が設けられ、前記第１磁石と前記第２磁石とは、前記遊動体の進行方向両側のそれぞれにおいて、互いに異なる磁極となるように設けられていることを特徴とする請求項３に記載の遊動玩具。
【請求項５】
前記台座上面に、水が貯留される水槽が載置可能であることを特徴とする請求項１〜４記載のいずれか一項に記載の遊動玩具。
【請求項６】
前記遊動体は魚模型であることを特徴とする請求項５に記載の遊動玩具。
【発明の詳細な説明】
【技術分野】
【０００１】
本発明は、磁力によって水槽内で遊動体を遊動させる遊動玩具に関する。
【背景技術】
【０００２】
従来、水が貯留される水槽と、水槽が載設され、第１磁石が付設された回転体、及び回転体を回転動作させる駆動装置を有する水槽台と、第２磁石が付設された魚模型と、を備え、第１磁石と第２磁石との間に作用する磁気吸引力によって水槽内で遊動体を遊動させる遊動玩具が知られている。
【先行技術文献】
【特許文献】
【０００３】
【特許文献１】特開昭５５−１０１２８２号公報
【発明の概要】
【発明が解決しようとする課題】
【０００４】
しかしながら、従来、第１磁石は１つの回転体の上に固定して設けられ、回転体の回転に従って魚模型が回遊するだけで、回遊中の魚模型の細かい動きに乏しく、その分、面白みに欠けていた。魚模型に限らず、船模型等の場合も同様の問題があった。
本発明は、かかる問題点に鑑みなされたもので、簡単な機構で、且つ、回遊中の遊動体の細かい動きを表現できる遊動玩具を提供することを目的としている。
【課題を解決するための手段】
【０００５】
第１の手段は、
回転体と前記回転体を回転動作させる駆動装置とを有する台座と、遊動体と、を備え、磁気吸引力によって前記台座上方で前記遊動体を遊動させる遊動玩具において、
前記回転体には、当該回転体上で揺動可能な揺動体が設けられ、
前記台座には、前記回転体の回転に伴って前記揺動体を揺動させる波形のカムが設けられ、
前記揺動体及び前記遊動体の一方には磁石が設けられ、他方には、前記磁石との間で前記磁気吸引力を発生させる磁性体又は他の磁石が設けられていることを特徴とする。
【０００６】
第２の手段は、第１の手段において、前記カムは、前記台座の天井に設けられた溝又はスリットから構成され、前記揺動体には前記カムに係合する突子が形成されていることを特徴とする。
【０００７】
第３の手段は、第２の手段において、前記揺動体は、前記回転体に立設された所定の軸を中心に揺動することを特徴とする。
【０００８】
第４の手段は、第３の手段において、前記揺動体には第１磁石が設けられ、前記遊動体には、前記第１磁石との間で前記磁気吸引力を発生させる第２磁石が設けられ、前記第１磁石と前記第２磁石とは、前記遊動体の進行方向両側のそれぞれにおいて、互いに異なる磁極となるように設けられていることを特徴とする。
【０００９】
第５の手段は、第１の手段〜第４の手段のいずれか一の手段において、前記台座上面に、水が貯留される水槽が載置可能であることを特徴とする。
【００１０】
第６の手段は、第５の手段において、前記遊動体は魚模型であることを特徴とする。
【発明の効果】
【００１１】
第１の手段によれば、回転体の上で揺動体が揺動するので、回遊中の遊動体に細かな動きをさせることができる。
【００１２】
第２の手段によれば、カムを用いているので、簡単に揺動体を揺動させることができる。
【００１３】
第３の手段によれば、揺動体を円滑に揺動させることができる。
【００１４】
第４の手段によれば、回転体の回転方向と遊動体の向きを簡単に合わせることができる。
【００１５】
第５の手段によれば、水槽内で種々の遊動体を細かく動かしながら回遊させることができる。
【００１６】
第６の手段によれば、回遊中の魚模型を細かく動かすことができ、魚模型により本物に近い動作をさせることができる。
【図面の簡単な説明】
【００１７】
【図１】実施形態の遊動玩具を示した斜視図である。
【図２】魚模型を示した側面図である。
【図３】魚模型の魚体の左側半部を取り除いた状態を示した側面図である。
【図４】魚模型を示した平面図である。
【図５】水槽台の内部を示した正面図である。
【図６】駆動機構を示した模式的平面図である。
【図７】モータを示した斜視図である。
【図８】揺動体が付設された歯車及びその周辺を示した平面図である。
【図９】揺動体を示した平面図である。
【図１０】カムを示した下面図である。
【図１１】遊動玩具のソーラーパネルを取り除いた状態を示した斜視図である。
【図１２】再起動用のダイヤルの構造を示した斜視図である。
【図１３】揺動体と魚模型の動きを示した図である。
【発明を実施するための形態】
【００１８】
以下、本発明の実施形態を説明する。
【００１９】
（全体）
図１は遊動玩具１の斜視図である。
この遊動玩具１は、水槽１０、水槽台２０及び魚模型（遊動体の一例）５０を備える。
この遊動玩具１によれば、水槽１０には水が入れられ、魚模型５０は水槽１０内で細かく動作しながら平面視で時計方向に回遊する。
【００２０】
（細部）
１．魚模型５０
図２は魚模型５０の側面図、図３は魚体５１の左側半部５１ａを取り除いた状態の側面図、図４は魚模型５０の平面図である。
魚模型５０は出目金を模して形成され、魚体５１と、尾鰭５２とを備えている。この魚模型５０は水よりも比重が小さい。
【００２１】
魚体５１は、左側半部５１ａと右側半部５１ｂとから構成されている。この左側半部５１ａと右側半部５１ｂは、内部に水が入らないように、溶着等によって互いに組み付けられている。右側半部５１ｂの腹部には楕円形の枠５１ｃが形成されている。楕円形の枠５１ｃ内には、眼鏡状に２つの円形凹部５１ｄ，５１ｅが設置されている。この２つの円形凹部５１ｄ，５１ｅにはそれぞれ円板状の磁石６が１個ずつ設置されている。そして、楕円形の枠５１ｃには、２つの磁石６，６を設置した状態で、楕円形の蓋（図示せず）が嵌合されている。
なお、各磁石６は一端面側がＮ極、他端面側がＳ極となっており、設置の際には、２個の磁石６は向きが同じになるように設置されている。
【００２２】
尾鰭５２は三つ尾となっており、尾鰭５２の基端部は魚体５１の後部に軸５２ａを介して支持されている。これによって、尾鰭５２は軸５２ａを中心に左右に揺動可能となっている。
【００２３】
２．水槽１０
水槽１０は水槽台２０の上に載置され、水槽台２０から取り外し可能となっている。これによって、水槽１０を簡単に水槽台２０から取り外して、水を交換したり、水槽１０を洗浄したりすることができる。
水槽１０は透明のガラス水槽又はアクリル水槽等で構成され、外部から内部を視認可能となっている。
水槽１０は全体として立方体又は直方体の箱形形状をしており、上端は開放されている。但し、水槽１０の底が平面であるならば、円柱形状その他の形状であってもよい。また、水槽１０の上端が閉塞されていてもよい。
水槽１０には水が貯留可能となっており、中に、魚模型５０を入れて遊動させることができる。
【００２４】
３．水槽台(台座)２０
図５は水槽台２０の内部を示した正面図である。
水槽台２０は、直方体の箱形形状となっている。この水槽台２０の内部上側には、最終段の大径の歯車（回転体）２１が設けられている。一方、水槽台２０の内部下側には機構ボックス２２が設けられ、機構ボックス２２内には駆動機構２３（図６）が収納されている。また、歯車２１と水槽台２０の天井２０ａとの間にはカム機構３０が設けられている。さらに、水槽台２０の外壁には遊動玩具１の電源となるソーラーパネル４０が取り付けられている（図１参照）。
【００２５】
図６は駆動機構２３の模式的平面図である。
駆動機構２３は、大径の回転体２３ａと、この回転体２３ａと一体的に形成された小径の歯車２３ｂと、二段歯車２３ｃと、二段歯車２３ｄと、大径の歯車２３ｅとを備えている。歯車２３ｅの軸２４は機構ボックス２２を貫通し、機構ボックス２２の上方まで延びており、軸２４の上端には上記歯車２１が設けられている。なお、「駆動装置」と言うときは、駆動機構の他に駆動機構を作動させる電気的な手段(回路部品等)をも含むものとする。
【００２６】
ここで、回転体２３ａの上面外周部には、図７に示すように、円周方向に等間隔に４個の円板状の磁石２３０ａが設けられている。各磁石２３０ａは一端面側がＮ極、他端面側がＳ極となっており、設置の際には、４個の磁石２３０ａは、円周方向にＮ極とＳ極とが交互に並ぶように設けられている。
また、回転体２３ａの上面外周部の上方には電磁石２５が設置されている。この電磁石２５は通電制御によって回転体２３ａの上面外周部に対向する側が交互にＮ極とＳ極とに切り替わる。
この回転体２３ａと電磁石２５とはモータを構成しているが、脱調により反転する可能性があるものである。
【００２７】
二段歯車２３ｃは、小径の歯車２３ｂに噛合する大径の歯車２３０ｃと、小径の歯車２３１ｃとから構成されている。また、二段歯車２３ｄは、小径の歯車２３１ｃに噛合する大径の歯車２３０ｄと、小径の歯車２３１ｄとから構成されている。小径の歯車２３１ｄは大径の歯車２３ｅに噛合する。
【００２８】
また、機構ボックス２２の天井２２ａの下には、電磁石２５の通電制御を行うための回路部品２６が取り付けられた基板２７が設置されている。
【００２９】
図８は歯車２１及びその周辺部品の平面図、図９は揺動体３１の平面図、図１０はカム３２の下面図である。
カム機構３０は、歯車２１に設けられた揺動体３１と、揺動体３１と係合するカム３２とから構成されている。
揺動体３１は、中間部が歯車２１の外周部上面に軸３１ａにて支持されている。揺動体３１には、軸３１ａを挟んで対峙する位置に円板状の磁石３３が縦置き状態で１個ずつ設けられている。円板状の磁石３３は、一面側がＮ極、他面側がＳ極となっている。そして、２つの磁石３３，３３は主面が面一で、且つ、同極が同じ方向を向くようにして揺動体３１に設けられている。
また、揺動体３１の上面には長手方向一端側に突子３４が設けられている。
【００３０】
カム３２は溝３２０から構成され、水槽台２０の天井２０ａの下面に設けられている。この溝３２０は、軸２４の延長線上の点を中心とし、軸２４と軸３１ａとの距離を半径とする円を基調とする波形の溝となっている。この溝３２０は、外側の壁３２０ａと、内側の波形の壁３２０ｂとによって画成されている。外側の壁３２０ａの谷部分にはストッパ３５が形成されている。ストッパ３５は、歯車２１が正規の方向に回転する際には突子３４の移動を妨げず、歯車２１が正規の方向とは反対の方向に回転する際には突子３４の移動を阻止する。このようなストッパ３５が円周方向に複数設けられている。
【００３１】
次に、揺動体３１の突子３４と溝３２０との係合のさせ方について説明する。
揺動体３１は、歯車２１が正規の方向に回転する場合に、軸２４の移動に遅れて突子３４が追従するようにして揺動体３１の突子３４と溝３２０との係合がなされる。
魚模型５０の磁石６の向きと揺動体３１の磁石３３の向きとは、揺動体３１の上に頭を軸３１ａ側に尾鰭５２を突子３４側に向けて魚模型５０を設置したとした場合に、魚模型５０の左右双方で、互いに異磁極となるようにされている。これにより、遊ぶ際に、歯車２１の正規の回転方向に対して魚模型５０の向きを適切に保つことができる。
【００３２】
また、水槽台２０の外壁には、ソーラーパネル４０が設けられている。このソーラーパネル４０の枠は水平な軸（図示せず）を介して水槽台２０に取り付けられている。このソーラーパネル４０は起立させることにより、ソーラーパネル４０の主面が水槽１０の外面に当接する。この状態が収納状態である。一方、使用状態では、ソーラーパネル４０をその自由端が接地するように傾倒させる。
【００３３】
図１１はソーラーパネル４０を取り除いた状態を示した遊動玩具の斜視図である。
また、水槽台２０の外壁には、再起動用のダイヤル４５が設けられている。このダイヤル４５は一部が水槽台２０の外壁から突出している。図１２に示すように、ダイヤル４５の軸４５ａにはダイヤル４５と一体の歯車４６が設けられている。また、ダイヤル４５の軸４５ａにはアーム４７が取り付けられ、このアーム４７には上記歯車４６に噛合する歯車４８が設けられている。この歯車４８は、歯車４６を太陽歯車とする遊星歯車であり、ダイヤル４５を所定の回転させた際にアーム４７を回転し、上記歯車２１に噛合し、歯車２１を正規方向に回転させることができる。これによって、初動時、又は何らかの原因で途中で歯車２１が止まった場合に再起動させることができる。
【００３４】
（動作）
水槽１０に水を入れ、魚模型５０をその水の中に入れる。そして、遊動玩具１を光の当たる場所に設置する。すると、歯車２１が正規の方向に回転し、魚模型５０が歯車２１の回転方向に追従して移動する。その際、揺動体３１の突子３４が溝３２０を倣うので、揺動体３１が揺動し、それに連れて魚模型５０を左右に魚体５１を振る。
具体的には、図１３（Ａ）〜（Ｃ）に示すように、軸３１ａは所定の仮想円上を移動する。この場合、図１３（Ａ）のように、突子３４が軸３１ａに対して半径方向外側に振られると、魚模型５０が内側に振られる。また、図１３（Ｂ）のように、突子３４も軸３１ａと同じく仮想円上にあるときには、魚模型５０は仮想円の接線上の向きとなる。また、図１３(Ａ)のように、突子３４が軸３１ａに対して半径方向内側に振られると、魚模型５０が外側に振られる。なお、魚体５１の振れに遅れて尾鰭５２が動作する。したがって、魚体５１と尾鰭５２とを揺らしながら泳ぐ金魚の動きを十分に表現できる。
なお、初期に歯車２１が正規の方向とは反対方向に回転したときには、そのまま放置しておいてもストッパ３５に突子３４が当たり、その後は歯車２１が正規の方向に回転するので問題はないが、回転方向調節用のダイヤル４５を操作して強制的に歯車２１を正規の方向に回転させてもよい。
【００３５】
（変形例）
以上、本発明の実施形態について説明したが、本発明は、かかる実施形態に限定されるものではなく、その要旨を逸脱しない範囲で種々の変形が可能であることは言うまでもない。
例えば、上記実施形態では、負荷が作用したときに反転するモータを使用したが、確実に一方向に回転するモータを使用してもよい。この場合には、ストッパ３５や回転方向調節用のダイヤル４５は不要である。
また、上記実施形態では、遊動体として魚模型５０を説明したが、船模型その他の遊動体にも適用できる。また、水槽１０を使用しないで、台座の天井上で車両模型その他の遊動体を動かすこともできる。
さらに、上記実施形態では、揺動体３１及び魚模型５０に磁石を設けた例を述べたが、いずれか一方は磁性体であってもよい。さらに、磁石として電磁石を用いてもよい。
また、上記実施形態では、カム３２として溝３２０を用いたが、スリットであってもよい。
さらに、上記実施形態では、回転体として歯車２１を挙げたが、歯を有しない回転体であってもよいし、ロープ伝動機構、ベルト伝動機構又はチェーン伝動機構を使用する場合には、ロープ、ベルト又はチェーンも回転体として考えることができる。
また、上記実施形態では、振幅及び波長を円周方向で略一定とした波形のカムを設けたが、振幅又は波長の少なくとも一方を円周方向で異なるようにしてもよく、また、円周方向の一部領域だけを波形部分とするか、或いは、間欠的にパルス状の波形部分を設けてもよい。
【符号の説明】
【００３６】
１     遊動玩具
６     磁石
１０   水槽
２０   水槽台
２０ａ 天井
２１   歯車(回転体)
２３   駆動機構
３０   カム機構
３１   揺動体
３１ａ 軸
３２   カム
３４   突子
３５   ストッパ
４０   ソーラーパネル
５０   魚模型
【図１】
2019146742.tif 000003
【図２】
2019146742.tif 000004
【図３】
2019146742.tif 000005
【図４】
2019146742.tif 000006
【図５】
2019146742.tif 000007
【図６】
2019146742.tif 000008
【図７】
2019146742.tif 000009
【図８】
2019146742.tif 000010
【図９】
2019146742.tif 000011
【図１０】
2019146742.tif 000012
【図１１】
2019146742.tif 000013
【図１２】
2019146742.tif 000014
【図１３】
2019146742.tif 000015